【手続補正書】
【提出日】平成17年12月12日(2005.12.12)
【手続補正１】
【補正対象書類名】明細書
【補正対象項目名】特許請求の範囲
【補正方法】変更
【補正の内容】
【特許請求の範囲】
【請求項１】  車両発進時に係合される係合要素を有する自動変速機を搭載した車両の発進制御装置であって、前記車両は、前記自動変速機が前進走行ポジションであり車両の状態が予め定められた条件を満足して停止した場合に、前記係合要素を解放させるニュートラル制御が実行され、
前記ニュートラル制御からの復帰時のブレーキの解放操作速度を検知するための検知手段と、
前記検知手段により検知されたブレーキの解放操作速度に基づいて、前記ニュートラル制御からの復帰時における前記車両のブレーキ力を制御するための制御手段とを含む、発進制御装置。
【請求項２】  前記制御手段は、前記ニュートラル制御からの復帰時のブレーキの解放操作状態が速いと、前記ニュートラル制御からの復帰時におけるブレーキ力の低減を遅らせるように制御するための手段を含む、請求項１に記載の発進制御装置。
【請求項３】  車両発進時に係合される係合要素を有する自動変速機を搭載した車両の発進制御装置であって、前記車両は、前記自動変速機が前進走行ポジションであり車両の状態が予め定められた条件を満足して停止した場合に、前記係合要素を解放させるニュートラル制御が実行され、
前記ニュートラル制御中のブレーキ力の大きさを検知するための検知手段と、
前記検知手段により検知されたブレーキ力の大きさに基づいて、前記ニュートラル制御からの復帰時における前記車両のブレーキ力を制御するための制御手段とを含む、発進制御装置。
【請求項４】  前記制御手段は、前記ニュートラル制御中のブレーキ力の大きさが小さいと、前記ニュートラル制御からの復帰時におけるブレーキ力の低減を遅らせるように制御するための手段を含む、請求項３に記載の発進制御装置。
【請求項５】  車両発進時に係合される係合要素を有する自動変速機を搭載した車両の発進制御装置であって、前記車両は、前記自動変速機が前進走行ポジションであり車両の状態が予め定められた条件を満足して停止した場合に、前記係合要素を解放させるニュートラル制御が実行され、
前記ニュートラル制御からの復帰時のブレーキの解放操作速度を検知するための検知手段と、
前記検知手段により検知されたブレーキの解放操作速度に基づいて、解放操作速度が速いと、前記ニュートラル制御からの復帰時における前記係合要素の係合速度を速めるように前記係合要素の係合状態を制御するための制御手段とを含む、発進制御装置。
【請求項６】  車両発進時に係合される係合要素を有する自動変速機を搭載した車両の発進制御装置であって、前記車両は、前記自動変速機が前進走行ポジションであり車両の状態が予め定められた条件を満足して停止した場合に、前記係合要素を解放させるニュートラル制御が実行され、
前記ニュートラル制御からの復帰時のブレーキ力の大きさを検知するための検知手段と、
前記検知手段により検知されたブレーキ力の大きさに基づいて、ブレーキ力の大きさが小さいと、前記ニュートラル制御からの復帰時における前記係合要素の係合速度を速めるように前記係合要素の係合状態を制御するための制御手段とを含む、発進制御装置。
【請求項７】  車両発進時に係合される係合要素を有する自動変速機を搭載した車両の発進制御装置であって、前記車両は、前記自動変速機が前進走行ポジションであり車両の状態が予め定められた条件を満足して停止した場合に、前記係合要素を解放させるニュートラル制御が実行され、
前記ニュートラル制御からの復帰時のブレーキ操作の有無を検知するための検知手段と、
前記検知手段により検知されたブレーキ操作の有無に基づいて、ブレーキ操作がないと、前記ニュートラル制御からの復帰時における前記係合要素の係合速度を速めるように前記係合要素の係合状態を制御するための制御手段とを含む、発進制御装置。
【請求項８】  前記制御手段は、前記ニュートラル制御からの復帰時における係合要素の係合速度を速めるために前記係合要素の初期係合圧を変更するための手段を含む、請求項５〜７のいずれかに記載の発進制御装置。
【手続補正２】
【補正対象書類名】明細書
【補正対象項目名】００２４
【補正方法】変更
【補正の内容】
【００２４】
【課題を解決するための手段】
第１の発明に係る車両の発進制御装置は、車両発進時に係合される係合要素を有する自動変速機を搭載した車両の発進を制御する。この車両は、自動変速機が前進走行ポジションであり車両の状態が予め定められた条件を満足して停止した場合に、係合要素を解放させるニュートラル制御が実行される。この発進制御手段は、ニュートラル制御からの復帰時のブレーキの解放操作速度を検知するための検知手段と、検知手段により検知されたブレーキの解放操作速度に基づいて、ニュートラル制御からの復帰時における車両のブレーキ力を制御するための制御手段とを含む。
【手続補正３】
【補正対象書類名】明細書
【補正対象項目名】００２５
【補正方法】変更
【補正の内容】
【００２５】
第１の発明によると、ニュートラル制御からの復帰時において、たとえば運転者がブレーキを素速く解放させた（ニュートラル制御からの復帰時のブレーキの解放操作速度が速い）場合であっても、制御手段によりニュートラル制御からの復帰時における車両のブレーキ力を緩やかに低減させるようにする。このようにすると、運転者が素早い車両の発進を望んでブレーキの解放操作を素早く行なっても、実際の車両のブレーキ力を、緩やかに低減させたり、遅らせて低減させることにより、係合要素が係合される際の係合ショックや車両ブレーキから発生する異音を防止できる。逆に、ニュートラル制御からの復帰時において、たとえば運転者がブレーキをゆっくりと解放させた（ニュートラル制御からの復帰時のブレーキの解放操作速度が遅い）場合には、制御手段によりニュートラル制御からの復帰時における車両のブレーキ力をその解放操作に応じてまたはその解放操作よりも速く低減させるようにする。このようにすると、運転者によるブレーキ力の低減が遅すぎる場合には、実際の車両のブレーキ力を、速やかに低減させることにより、ニュートラル制御からの復帰時における車両のもたつき感が防止され、良好な発進性能を実現することができる。その結果、ニュートラル制御からブレーキが解除された状態に基づいて、良好な発進制御を行なうことができる車両の発進制御装置を提供することができる。
【手続補正４】
【補正対象書類名】明細書
【補正対象項目名】００２６
【補正方法】変更
【補正の内容】
【００２６】
第２の発明に係る車両の発進制御装置においては、第１の発明の構成に加えて、制御手段は、ニュートラル制御からの復帰時のブレーキの解放操作状態が速いと、ニュートラル制御からの復帰時におけるブレーキ力の低減を遅らせるように制御するための手段を含む。
【手続補正５】
【補正対象書類名】明細書
【補正対象項目名】００２７
【補正方法】変更
【補正の内容】
【００２７】
第２の発明によると、ニュートラル制御からの復帰時の運転者によるブレーキの解放操作速度が速いと、ブレーキ力が緩やかに低減する（低減を遅らせる）ように制御される。これにより、ニュートラル制御からブレーキが解除された状態に基づいて、車両の後退等のを回避しつつ、良好な発進制御を行なうことができる。
【手続補正６】
【補正対象書類名】明細書
【補正対象項目名】００２８
【補正方法】変更
【補正の内容】
【００２８】
第３の発明に係る車両の発進制御装置は、車両発進時に係合される係合要素を有する自動変速機を搭載した車両の発進を制御する。この車両は、自動変速機が前進走行ポジションであり車両の状態が予め定められた条件を満足して停止した場合に、係合要素を解放させるニュートラル制御が実行される。この発進制御装置は、ニュートラル制御中のブレーキ力の大きさを検知するための検知手段と、検知手段により検知されたブレーキ力の大きさに基づいて、ニュートラル制御からの復帰時における車両のブレーキ力を制御するための制御手段とを含む。
【手続補正７】
【補正対象書類名】明細書
【補正対象項目名】００２９
【補正方法】変更
【補正の内容】
【００２９】
第３の発明によると、このニュートラル制御中に作用するブレーキ力が検知手段により検知される。ニュートラル制御からの復帰時において、たとえばニュートラル制御中のブレーキ力が弱い（小さい）場合には、制御手段によりニュートラル制御からの復帰時における車両のブレーキ力を緩やかに低減させるようにする。このようにすると、ニュートラル制御中に作用しているブレーキ力が弱い場合において、係合要素が係合するのに時間を要しても、実際の車両のブレーキ力を、緩やかに低減させたり、遅らせて低減させることにより、係合要素が係合される際の係合ショックや車両ブレーキから発生する異音を防止できる。逆に、ニュートラル制御中のブレーキ力が強い（大きい）場合には制御手段によりニュートラル制御からの復帰時における車両のブレーキ力を速やかに低減させるようにする。このようにすると、ニュートラル制御中に作用しているブレーキ力が強い場合において、実際の車両のブレーキ力を速やかに低減させることにより、ニュートラル制御からの復帰時のおける車両のもたつき感が防止され、良好な発進性能を実現することができる。その結果、ニュートラル制御中のブレーキの状態に基づいて、良好な発進制御を行なうことができる車両の発進制御装置を提供することができる。
【手続補正８】
【補正対象書類名】明細書
【補正対象項目名】００３０
【補正方法】変更
【補正の内容】
【００３０】
第４の発明に係る車両の発進制御装置においては、第３の発明の構成に加えて、制御手段は、ニュートラル制御中のブレーキ力の大きさが小さいと、ニュートラル制御からの復帰時におけるブレーキ力の低減を遅らせるように制御するための手段を含む。
【手続補正９】
【補正対象書類名】明細書
【補正対象項目名】００３１
【補正方法】変更
【補正の内容】
【００３１】
第４の発明によると、ニュートラル制御からの復帰時において、たとえばニュートラル制御中のブレーキ力が弱い（小さい）場合には、制御手段によりニュートラル制御からの復帰時における車両のブレーキ力を緩やかに低減させるようにする。このようにすると、ニュートラル制御中に作用しているブレーキ力が弱い場合において、係合要素が係合するのに時間を要しても、実際の車両のブレーキ力を、緩やかに低減させたり、遅らせて低減させることにより、係合要素が係合される際の係合ショックや車両ブレーキから発生する異音を防止できる。
【手続補正１０】
【補正対象書類名】明細書
【補正対象項目名】００３２
【補正方法】変更
【補正の内容】
【００３２】
第５の発明に係る車両の発進制御装置は、車両発進時に係合される係合要素を有する自動変速機を搭載した車両の発進を制御する。この車両は、自動変速機が前進走行ポジションであり車両の状態が予め定められた条件を満足して停止した場合に、係合要素を解放させるニュートラル制御が実行される。この発進制御装置は、ニュートラル制御からの復帰時のブレーキの解放操作速度を検知するための検知手段と、検知手段により検知されたブレーキの解放操作速度に基づいて、解放操作速度が速いと、ニュートラル制御からの復帰時における係合要素の係合速度を速めるように係合要素の係合状態を制御するための制御手段とを含む。
【手続補正１１】
【補正対象書類名】明細書
【補正対象項目名】００３３
【補正方法】変更
【補正の内容】
【００３３】
第５の発明によると、ニュートラル制御からの復帰時に運転者がブレーキペダルを踏んでいる時に急にブレーキペダルを離すと（ブレーキの解放操作速度が速いと）、係合要素を素早く係合させるので、良好な発進制御を行なうことができる。
【手続補正１２】
【補正対象書類名】明細書
【補正対象項目名】００３４
【補正方法】変更
【補正の内容】
【００３４】
第６の発明に係る車両の発進制御装置は、車両発進時に係合される係合要素を有する自動変速機を搭載した車両の発進を制御する。この車両は、自動変速機が前進走行ポジションであり車両の状態が予め定められた条件を満足して停止した場合に、係合要素を解放させるニュートラル制御が実行される。この発進制御装置は、ニュートラル制御からの復帰時のブレーキ力の大きさを検知するための検知手段と、検知手段により検知されたブレーキ力の大きさに基づいて、ブレーキ力の大きさが小さいと、ニュートラル制御からの復帰時における係合要素の係合速度を速めるように係合要素の係合状態を制御するための制御手段とを含む。
【手続補正１３】
【補正対象書類名】明細書
【補正対象項目名】００３５
【補正方法】変更
【補正の内容】
【００３５】
第６の発明によると、ニュートラル制御からの復帰時において、車両のブレーキ力の大きさが小さい状態から復帰制御される場合には、制御手段により係合要素が素早く係合されるので、良好な発進制御を行なうことができる。
【手続補正１４】
【補正対象書類名】明細書
【補正対象項目名】００３６
【補正方法】変更
【補正の内容】
【００３６】
第７の発明に係る車両の発進制御装置は、車両発進時に係合される係合要素を有する自動変速機を搭載した車両の発進を制御する。この車両は、自動変速機が前進走行ポジションであり車両の状態が予め定められた条件を満足して停止した場合に、係合要素を解放させるニュートラル制御が実行される。この発進制御装置は、ニュートラル制御からの復帰時のブレーキ操作の有無を検知するための検知手段と、検知手段により検知されたブレーキ操作の有無に基づいて、ブレーキ操作がないと、ニュートラル制御からの復帰時における係合要素の係合速度を速めるように係合要素の係合状態を制御するための制御手段とを含む。
【手続補正１５】
【補正対象書類名】明細書
【補正対象項目名】００３７
【補正方法】変更
【補正の内容】
【００３７】
第７の発明によると、ニュートラル制御中からの復帰時にブレーキ操作がない場合には、制御手段により係合要素が素早く係合されるので、良好な発進制御を行なえるので、たとえば、登坂路における車両の後退が防止できる。
【手続補正１６】
【補正対象書類名】明細書
【補正対象項目名】００３８
【補正方法】変更
【補正の内容】
【００３８】
第８の発明に係る車両の発進制御装置においては、第５〜７の発明の構成に加えて、制御手段は、ニュートラル制御からの復帰時における係合要素の係合速度を速めるために係合要素の初期係合圧を変更するための手段を含む。
【手続補正１７】
【補正対象書類名】明細書
【補正対象項目名】００３９
【補正方法】変更
【補正の内容】
【００３９】
第８の発明によると、係合要素の初期係合圧を変更（上昇）させて、ニュートラル制御からの復帰時における係合要素の係合速度を速めることができる。
【手続補正１８】
【補正対象書類名】明細書
【補正対象項目名】００４０
【補正方法】削除
【補正の内容】
【手続補正１９】
【補正対象書類名】明細書
【補正対象項目名】００４１
【補正方法】削除
【補正の内容】
【手続補正２０】
【補正対象書類名】明細書
【補正対象項目名】００４２
【補正方法】削除
【補正の内容】
【手続補正２１】
【補正対象書類名】明細書
【補正対象項目名】００４３
【補正方法】削除
【補正の内容】
【手続補正２２】
【補正対象書類名】明細書
【補正対象項目名】００４４
【補正方法】削除
【補正の内容】
【手続補正２３】
【補正対象書類名】明細書
【補正対象項目名】００４５
【補正方法】削除
【補正の内容】
【手続補正２４】
【補正対象書類名】明細書
【補正対象項目名】００４６
【補正方法】削除
【補正の内容】
【手続補正２５】
【補正対象書類名】明細書
【補正対象項目名】００４７
【補正方法】削除
【補正の内容】
【手続補正２６】
【補正対象書類名】明細書
【補正対象項目名】００４８
【補正方法】削除
【補正の内容】
【手続補正２７】
【補正対象書類名】明細書
【補正対象項目名】００４９
【補正方法】削除
【補正の内容】
【手続補正２８】
【補正対象書類名】明細書
【補正対象項目名】００５０
【補正方法】削除
【補正の内容】
【手続補正２９】
【補正対象書類名】明細書
【補正対象項目名】００５１
【補正方法】削除
【補正の内容】
【手続補正３０】
【補正対象書類名】明細書
【補正対象項目名】００５２
【補正方法】削除
【補正の内容】
【手続補正３１】
【補正対象書類名】明細書
【補正対象項目名】００５３
【補正方法】削除
【補正の内容】
【手続補正３２】
【補正対象書類名】明細書
【補正対象項目名】００５４
【補正方法】削除
【補正の内容】
【手続補正３３】
【補正対象書類名】明細書
【補正対象項目名】００５５
【補正方法】削除
【補正の内容】
【手続補正３４】
【補正対象書類名】明細書
【補正対象項目名】００５６
【補正方法】削除
【補正の内容】
【手続補正３５】
【補正対象書類名】明細書
【補正対象項目名】００５７
【補正方法】削除
【補正の内容】